【事件の表示】
　平成２年特許願第２２２８２８号「光ディスク記録及び／又は再生装置」拒絶査定に対する審判事件［平成４年４月７日出願公開、特開平４−１０５２８４］について、次のとおり審決する。
【結　論】
　本件審判の請求は、成り立たない。
【理　由】
《１》　手続の経緯・本願発明　
　　本願は、平成２年８月２４日の出願であって、その請求項１に係る発明は、平成１２年１１月１６日付けの手続補正書によって補正された明細書及び図面の記載からみて、本願の特許請求の範囲の請求項１に記載されたとおりの次のもの（以下、「本願発明」という。）と認める。　
「【請求項１】　
収納された光ディスクを外方に臨ませる開口部を開閉するシャッタが設けられたディスクカートリッジが挿入され、上記挿入されたディスクカートリッジを保持して上記光ディスクの記録又は再生位置と当該記録又は再生位置の上方の上記ディスクカートリッジの挿入又は排出位置との間を移動するホルダと、　
　上記ホルダの上記ディスクカートリッジの上記ホルダへの挿入方向と平行な側面に設けられ、上記シャッタの開閉を行うシャッタ開放手段と、　
　上記ディスクカートリッジの上記ホルダへの挿入方向とほぼ直交する方向に移動自在に配される光ヘッドと、　
　上記記録又は再生位置に移動された上記ホルダに保持された上記ディスクカートリッジ内の光ディスクが装着され上記光ディスクを回転駆動する回転駆動手段と、　
　上記ホルダに保持されている上記ディスクカートリッジを排出する方向に付勢手段によって付勢され、先端側に設けられ上記ホルダに挿入された上記ディスクカートリッジと当接する当接部を有し、上記ホルダの上記ディスクカートリッジの上記ホルダへの挿入方向前端側の隅部と対応する位置に回動自在に配されて上記ホルダから上記ディスクカートリッジを排出するイジェクトレバーと、　
　移動操作されることによって上記ホルダを上記記録又は再生位置と上記挿入又は排出位置との間を移動させるイジェクト部材と、　
　上記イジェクトレバーによって上記イジェクト部材を上記ホルダの上記挿入又は排出位置にロックし又はロック解除させるロックレバーとを
　備えている光ディスク記録及び／又は再生装置。」　
　
　
《２》　原査定の拒絶の理由で引用された文献　
１．特開平２−８９２４９号公報（以後、「引用例１」という。）には、以下の事項が記載されている。　
　（１）　
「（ｂ．磁気ディスクカセット）［第２図、第４図、第８図、第９図］　
　　１９は上記した電子スチルカメラ１に使用される磁気ディスクカセットである。　
　　２０は磁気ディスクカセット１９のカセットケースであり、合成樹脂によって扁平な四角形の箱状をしている。２１は記録媒体としての磁気ディスクであり、・・・・・・・・・・・・・・・・・。　
　　・・・・・・・・・・・・・・・・・・・・・・・・・・・・・・・・・・・・・・・・・・・・・。　
　　２６はカセットケース２０に摺動自在に設けられたシャッターであり、上記ヘッド挿入孔２５、２５を開閉する（第２図はヘッド挿入孔２５、２５を閉じた状態で、第４図はヘッド挿入孔２５、２５を開いた状態で示していある。）ためのものである。」（第４頁右上欄第６行〜左下欄第１２行）　
　
　（２）　
「（ｃ−３．カセットローディング機構）［第４図乃至第９図］　
　（ｃ−３−イ．構造）［第４図乃至第９図］　
　　４０は外筺２内に設けられたカセットローディング機構であり、上記磁気ディスクカセット１９を記録再生部へ装着し、また、記録再生部に装着されている磁気ディスクカセット１９を外筺２外へイジェクトするための機構である。・・・・・・・・・・・・・・・・・・・・・・・・・・・・・・・・・・・・・・・。　
　　４９はカセットホルダであり、左右の底片５０、５０と左右両側板５１、５２と天板５３とから成り、前後が開口し左右に長く上下が薄い扁平な角筒状をしている。　
　　カセットホルダ４９の・・・・・・・・・・・・・・・・・・・・・・・・・・。　
　　５６はスライダーであり、底板５７と左右両側板５８、５９とから成り、底板５７の中央部には大きな挿通孔６０が形成されている。　
　　また、左右両側板５８、５９はその前後に・・・・・・・・傾斜した駆動スリット６１、６１、．．．が形成されている。　
　　そして、かかるスライダー５６は、・・・・・・・・・・・・・・・・・・・・・カセット支持台４２に対して前後方向へ摺動自在に支持されている。そして、このスライダー５６の左右両側板５８、５９に形成された駆動スリット６１、６１、・・・にもカセットホルダ４９の前記ピン５５、５５、・・・が摺動自在に係合されている。しかして、カセットホルダ４９のピン５５、５５、・・・はカセット支持台４２の案内スリット４８、４８、・・・とスライダー５６の駆動スリット６１、６１、・・・とが重なったところに位置することになる。　
　　６２は引張コイルスプリングであり、・・・・・・・・・・・・・・・・・・・スライダー５６には前方へ向けての移動力が付勢されている。　
　　６６はストッパー片であり、略Ｌ字状をしており、その屈曲部がカセット支持台４２の底板４３の前端部左端の下面に回動自在に支持されている。そして、該ストッパー片の６６の後方に向かって延びる一方の腕片６７の後端部左側に係合切欠６８が形成されている。　
　　６９はスライダー５６の底板５７の左側縁の前端寄りの位置から下方へ向けて突設された係合突片であり、スライダー５６の駆動スリット６１、６１、・・・がカセット支持台４２の案内スリット４８、４８・・・の水平部・・・・・・・・・・、即ち、スライダー５６が最も後方へきている位置で、前記係合突片６９がストッパー片６６の係合切欠６８と係合、該係合によって、引張コイルスプリング６２の引張力がスライダー５６を前方へ移動させるのが阻止されている。　
　　７０はカセットセンサーであり、カセットホルダ４９内への磁気ディスクカセット１９の挿入を検知するためのものである。該カセットセンサー７０はその基端部がカセット支持台４２の底板４３の左前端に立設された支持軸７１に回動自在に支持されている。　
　　７２は引張コイルスプリングであり、・・・・・・・・・・・・・・・・・・・・これによって、カセットセンサー７０の先端部７０ａがカセットホルダ４９の前端開口からカセットホルダ４９内に入る方向に回動する回動力が付勢されている。　
　　７５はカセットセンサー７０の基端よりの位置の下縁から下方へ向けて突設された突片であり、・・・・・・・・・・・・・該突片７５は孔７６の後縁に当接した状態で前記ストッパー片６６の屈曲部から右方へ向かって延びた他方の腕片７７の先端部に後方から稍離間して対向している。　
　　７８はトーションスプリングであり、該トーションスプリング７８の・・・・・・・・・・・、一方の腕７８ｂはストッパー片６６の一方の腕片６７の右側縁に弾接し、他方の腕７８ｃは前記カセットセンサー７０の突片７５に後側から弾接されている。これによって、ストッパー片６６には一方の腕片６７の先端が左方へ移動しようとする回動力が付勢されている。」（第５頁第右上欄１３行〜第６頁右下欄第７行）　
　
　（３）　
「（ｃ−３−ロ．動作）［第８図、第９図］　
　　しかして、磁気ディスクカセット１９が外筺２の後面部１７に形成されたカセット挿入口１６を通して外筺２内に、そして、カセットホルダ４９に挿入される。（第８図（Ａ）、（第９図（Ａ）参照）。　
　　そして、磁気ディスクカセット１９がカセットホルダ４９内に挿入されて行くと、図示しないシヤッター開け機構により、磁気ディスクカセット１９のシャッター２６が相対的に開放位置へと移動されて行き、ヘッド挿入孔２５、２５が開放されていく。」（第６頁右下欄第８行〜第１９行）　
　
　（４）　
「そして、磁気ディスクカセット１９がカセットホルダ４９内にかなり挿入されると、カセットケース２０の前方を向いている端面２０ａがカセットセンサー７０の先端部７０ａに当接して（第８図（Ｂ）、第９図（Ｂ）参照）、このカセットセンサー７０を引張コイルスプリング７２の引張力に抗して回動せしめる。そして、この回動によって、カセットセンサー７０の突片７５が略前方へ移動して行き、ストッパー片６６の他方の腕片７７に近づいて行って、やがて該腕片７７に接触しこれを略前方へ向けて押圧する。　
　　そして、ストッパー片６６は、その他方の腕片７７の先端部が略前方へ向けて押圧されると、一方の腕片６７の先端部が略右方へ向けて移動するように回動し、やがて一方の腕片６７の先端部に形成された係合切欠６８とスライダー５６の係合突片６９との係合が外れる。（第８図（Ｃ）、第９図（Ｃ）参照）。　
　　係合切欠６８と係合突片６９との間の係合が外れると、スライダー５６の前進を阻止するものが無くなるので、引張コイルスプリング６２引張力によってスライダー５６が前進せしめられる。　
　　そして、スライダー５６が前進すると、スライダー５６の駆動スリット６１、６１、・・・がカセットホルダ４９のピン５５、５５・・・を押圧するので、・・・・・・・・・・・・を下方に向かって移動する。これによって、カセットホルダ４９は横倒しＬ字状の経路を初めは前方に向かって次いで下方へ向かって移動し、これと共に、カセットホルダ４９に保持された磁気ディスクカセット１９もこれと同じ経路を移動する（第８図（Ｄ）、第９図（Ｄ）参照）。」（第７頁左上欄第１行〜第７頁右上欄第１７行）（ストッパーピン６６はストッパー片６６の誤りであり、上記のように認定した。）　
　
　（５）　
「そして、ピン５５、５５、・・・が案内スリット４８、４８、・・・の垂直部４８ｂ、４８ｂ、・・・の下端に達した（第８図（Ｅ）、第９図（Ｅ）参照）ところで、磁気ディスクカセット１９の磁気ディスク２１のセンターコア２３が図示しない記録再生部のスピンドル８０に装着されると共に、磁気ヘッド８１がカセットケース２０のヘッド挿入孔２５からカセットケース２０内に入り磁気ディスク２１と接触する（この状態は図示していない。）。そこで、記録又は再生動作が開始すると、スピンドル８０が回転し、そして、磁気ヘッド８１が磁気ディスク２１に円形のトラック状に記録を行い又は円形トラックを走査しながら再生を行う。」（第７頁右上欄第１８行〜第７頁左下欄第１１行）　
　
　（６）　
「上記した記録又は再生が終了してイジェクト指令が出される（上記したイジェクトボタン１８がスライド操作されることによって出される。）と、図示しない駆動機構によって、上記スライダー５６が後方へ向けて移動せしめられる。　
　　スライダー５６が後方へ向かって移動すると、スライダー５８の駆動スリット６１、６１、・・・が初めはカセットホルダ４９のピン５５、５５、・・・をカセット支持台４２の案内スリット４８、４８、・・・の・・・・・・・・・・・・移動せしめる。　
　　そして、スライダー５６が後端まで達すると、スライダー５６の係合突片６９がストッパー片６６の係合切欠６８と係合する。　
　　また、この間に、磁気ディスクカセット１９にはカセットセンサー７０の先端部７０ａを介して引張コイルスプリング７２の弾発力が及び、これによって、磁気ディスクカセット１９はカセットホルダ４９の後端から半分位が突出せしめられ、従って、磁気ディスクカセット１９の後半部がカセット挿入口１６から外筺２外へ突出せしめられる。従って、この外筺２外へ突出した部分を手で持って磁気ディスクカセット１９を外筺２から引き出すことができる。」（第７頁左下欄第１２行〜第７頁右下欄第２０行）　
　
　（７）　
　第４図の分解斜視図の、ディスクカセット１９のカセットホルダ４９への挿入方向と、ディスクカセット１９のヘッド挿入孔２５の位置関係から、磁気ヘッド８１が、ディスクカセットのカセットホルダへの挿入方向に対して直交して配置されていることが判る。第７図には、磁気ヘッド８１がスピンドル８０と平行に、ディスクカセットの１９の挿入方向に対して直交した配置にあることが示されている。　
　
　
２．特開平２−７３５６０号公報（以後、「引用例２」という。）には、以下の事項が記載されている。　
　（１）　
「今、カセットを枠体２８内に挿入していくと、枠体２８内の凸部２８ｂにカセットの防塵シャッター９の端部が当たり、カセットをより挿入していくに従って防塵シャッター９は開かれていく。」（第２頁右下欄第１９行〜第３頁左上欄第２行）　
　
　（２）　
　第８図には、枠体２８内の凸部２８ｂがカセットケース１の挿入方向と平行な側面に示されている。　
　
　
３．特開昭６３−２２９６５９号公報（以後、「引用例３」という。）には、以下の事項が記載されている。　
　（１）　
「〔問題を解決するための手段〕　
　　本発明は前記目的を達成するために、磁気シートを回転自在に収納するとともに磁気ヘッド用窓部にスライド可能なシャッタを有する磁気シートパックを、磁気シートパック挿入排出位置から磁気シートを回転駆動軸に装填する位置に案内するパックホルダの側部に配設される１本の線ばねから成り、前記線ばねはヘアピン状に折曲げられ、その一方の先端に前記シャッタのロックを解除してパック挿入時にシャッタを開く第１の爪が折曲げられるとともに、他方側の先端に前記シャッタの側面に設けられた孔に係合してパック排出時にシャッタを閉じる第２の爪が折曲げられ、前記第１の爪及び第２の爪がそれぞれ前記パックホルダの案内溝に突出して該案内溝に進退する方向に弾性を有するようにしたことを特徴としている。」（第２頁左下欄第１行〜第１６行）　
　
　
《３》　引用例１に記載の発明　
　上記《２》１．（２）には、部材６９について、おおよそ以下のように示されている。６９はスライダー５６の係合突片であり、スライダー５６が最も後方にきている位置で、ストッパー片６６の係合切欠６９と係合し、スライダー５６の前方への移動を阻止する。　
　上記《２》１．（４）を参照すると、磁気ディスクカセット１９の挿入により、磁気ディスクカセットがカセットセンサー７０の先端部７０ａに当接して、カセットセンサー７０を回動させ、カセットセンサー７０の突片７５がストッパー片６６の腕片７７を押圧し、ストッパー片６６の一方の腕片６７とスライダー５６の係合突片６９との係合が外れる。係合が外れると、スライダー５６の前進を阻止するものが無くなるので、スライダー５６が前進せしめられる。そして、スライダー５６が前進すると、カセットホルダ４９が初めは前方に向かって、次いで下方へ向かって移動することが、大略示されている。　
　さらに、上記《２》１．（６）を参照すると、イジェクト指令により、スライダー５６が後方へ向けて移動すると、カセットホルダ４９が上方、後方に移動し、スライダー５６が後方まで達すると、スライダー５６の係合突片６９がストッパー片６６と係合すると、磁気ディスクカセットは、カセットホルダ４９の後端から半分位突出せしめられ、突出した部分を手で引き出すことができることが、大略示されている。　
　上記《２》１．（２）（４）（６）を総合すると、スライダー５６は最も後方にきている位置で、ストッパー片６６の係合切欠６８とスライダー５６の係合突片６９が係合し、スライダー５６の前方の移動が阻止されており、磁気ディスクカセット１９の挿入により、カセットセンサー７０が回動し、ストッパー片６６とスライダー５６の係合が外れ、スライダー５６が前進せしめられ、カセットホルダ４９も前進させられる、また、イジェクト指令により、スライダー５６が後方に移動し、スライダー５６が移動するとカセットホルダ４９も移動し、スライダー５６が後端まで移動すると、スライダー５６の係合突片５９がストッパー片６６の係合切欠６８と係合し、スライダー５６の前進を阻止させるストッパー片６６が示されている。　
　そして、上記《２》１．（３）（５）（７）を合わせて参照すると、磁気ヘッド８１は、磁気ディスクカセット１９の挿入方向とほぼ直交する方向に移動自在に配され、ディスクの半径方向に移動し記録再生を行うことが示されている。　
　
　上記《２》１．（１）〜（７）の記載から、引用例１である特開平２−８９２４９号公報には、磁気ディスクカセットをホルダを用いて装着する装置に関して、　
「収納された磁気ディスクを外方に臨ませるヘッド挿入孔を開閉するシャッターが設けられたディスクカセットが挿入され、上記挿入されたディスクカセットを保持して上記磁気ディスクの記録再生部の位置と当該記録再生部の上方の上記ディスクカセットの挿入又は排出位置との間を移動するカセットホルダと、　
　上記シャッターの開閉を行うシャッター開け機構と、　
　上記ディスクカセットの上記カセットホルダへの挿入方向とほぼ直交する方向に移動自在に配される磁気ヘッドと、　
　上記記録再生部に移動された上記ホルダに保持された上記ディスクカセット内の磁気ディスクが装着されるスピンドルと、　
　上記カセットホルダに保持されている上記ディスクカセットを排出する方向に引張コイルスプリングによって付勢され、上記ホルダに挿入された上記ディスクカセットと当接する先端部を有し、上記カセットホルダの上記ディスクカセットの挿入方向前端側の隅部と対応する位置に回動自在に配されて上記カセットホルダから上記ディスクカセットを排出するカセットセンサーと、　
　移動操作されることによって上記カセットホルダを上記記録再生部の位置と上記挿入又は排出位置との間を移動させるスライダーと、　
　ストッパー片とを備え、　
　上記ストッパー片は、上記スライダーは最も後方にきている位置で、上記ストッパー片の係合切欠と上記スライダーに設けた係合突片が係合し、上記スライダーの前方への移動が阻止され、上記磁気ディスクカセットの挿入により、上記カセットセンサーが回動し、上記ストッパー片と上記スライダーの係合が外れて、上記スライダーが前進せしめられ、上記カセットホルダも前進させられる、また、イジェクト指令により、上記スライダーが後方に移動し、上記スライダーが移動すると上記カセットホルダも移動し、上記スライダーが後端まで移動すると、上記スライダーの係合突片が上記ストッパー片の係合切欠と係合し、上記スライダーの前進を阻止することを特徴とする　
　磁気ディスク記録及び／又は再生装置。」の発明（以下、引用例１の発明という。）が記載されていると認められる。　
　
　
《４》　対　比　
　本願発明と引用例１の発明を対比すると、　
　引用例１の発明の「ディスクカセット」「カセットホルダ」「シャッター開け機構」「カセットセンサー」「スライダー」「スピンドル」は、　
　本願発明の「ディスクカートリッジ」「ホルダ」「シャッタ開放手段」「イジェクトレバー」「イジェクト部材」「回転駆動手段」に相当し、　
　引用例１の発明の「上記スライダーは最も後方にきている位置で、上記ストッパー片の係合切欠と上記スライダーに設けた係合突片が係合し、上記スライダーの前方への移動が阻止され、上記磁気ディスクカセットの挿入により、上記カセットセンサーが回動し、上記ストッパー片と上記スライダーの係合が外れて、上記スライダーが前進せしめられ、上記カセットホルダも前進させられる、また、イジェクト指令により、上記スライダーが後方に移動し、上記スライダーが移動すると上記カセットホルダも移動し、上記スライダーが後端まで移動すると、上記スライダーの係合突片が上記ストッパー片の係合切欠と係合し、上記スライダーの前進を阻止する」の「ストッパー片」は、カセットホルダの移動を磁気カセットの挿入又は排出位置にロックする部材であり、本願発明の「上記イジェクトレバーによって上記イジェクト部材を上記ホルダの上記挿入又は排出位置にロックし又はロック解除させるロックレバー」の「ロックレバー」に相当し、　
　両者は、ホルダを用いてディスクカートリッジを装着するディスク装置で共通するから、両者は、　
「収納されたディスクを外方に臨ませる開口部を開閉するシャッタが設けられたディスクカートリッジが挿入され、上記挿入されたディスクカートリッジを保持して上記ディスクの記録又は再生位置と当該記録又は再生位置の上方の上記ディスクカートリッジの挿入又は排出位置との間を移動するホルダと、　
　上記シャッタの開閉を行うシャッタ開放手段と、　
上記ディスクカートリッジの上記ホルダへの挿入方向とほぼ直交する方向に移動自在に配されるヘッドと、　
　上記記録又は再生位置に移動された上記ホルダに保持された上記ディスクカートリッジ内のディスクが装着され上記ディスクを回転駆動する回転駆動手段と、　
　上記ホルダに保持されている上記ディスクカートリッジを排出する方向に付勢手段によって付勢され、先端側に設けられ上記ホルダに挿入された上記ディスクカートリッジと当接する当接部を有し、上記ホルダの上記ディスクカートリッジの上記ホルダへの挿入方向前端側の隅部と対応する位置に回動自在に配されて上記ホルダから上記ディスクカートリッジを排出するイジェクトレバーと、　
　移動操作されることによって上記ホルダを上記記録又は再生位置と上記挿入又は排出位置との間を移動させるイジェクト部材と、　
　上記イジェクトレバーによって上記イジェクト部材を上記ホルダの上記挿入又は排出位置にロックし又はロック解除させるロックレバーとを
　備えているディスク記録及び／又は再生装置。」の発明で一致し、　
　
　　以下の点で、相違する。　
　（１）本願発明では、光ディスクに関する記録及び／又は再生装置であるのに対して、、引用例１の発明では、磁気ディスクに関する記録及び／又は再生装置である点。　
　
　（２）シャッタ開放手段が、本願発明では、ホルダのディスクカートリッジのホルダへの挿入方向と平行な側面に配置されるのに対して、引用例１の発明には配置について記載されていない点。　
　
　
《５》　当審の判断
　　　相違点について検討する。　
　　相違点（１）について　
　カートリッジに収納した光ディスクも引用例を示すまでもなく周知であり、磁気ディスクも光ディスクも記録原理こそ異なるものの、記録媒体の形状及び装置は同じであることから、引用例１の発明において、ディスクカセットに収納されるディスクを、磁気ディスクに変えて光ディスクとし、光ディスク記録及び／又は再生装置とすることは、格別困難であると認めることはできない。　
　
　　相違点（２）について　
　ディスク装置において、シャッタ開放手段を、ホルダのディスクカートリッジのホルダの挿入方向と平行な側面に配置することは例えば引用例２，３にも記載されているように周知であり、、引用例１の発明において、シャッター開放手段をホルダ内のディスクカセットの挿入方向と平行な側面に配置することは、容易に推考できることと認められる。　
　
　
《６》 む す び　
　したがって、本願発明は、引用例１の発明に基いて当業者が容易に発明をすることができたものであるので、特許法第２９条第２項の規定により特許を受けることができない。 
　 よって、結論のとおり審決する。